(57)【要約】【課題】  漏れ磁束の測定手段を後付できることは勿論、複雑な計算をしなくても投入保持力を測定できること。【解決手段】  本発明の開閉装置は、上記の課題を解決するために、主回路開閉部と、該主回路開閉部を開閉操作する電磁操作装置と、前記主回路開閉部と前記電磁操作装置を連結するリンク機構とを備え、前記電磁操作装置は、相対向して配置された可動鉄心及び固定鉄心と、前記可動鉄心及び固定鉄心の周囲に配置されたコイルと、前記可動鉄心の周囲に配置された永久磁石と、これらを収納するケースとから成る電磁石を少なくとも有している開閉装置であって、前記ケースの外側に、前記永久磁石の漏れ磁束により開閉動作するリードスイッチが設置されていることを特徴とする。【選択図】図３
2020173897.tif 000002
【特許請求の範囲】
【請求項１】
主回路開閉部と、該主回路開閉部を開閉操作する電磁操作装置と、前記主回路開閉部と前記電磁操作装置を連結するリンク機構とを備え、
前記電磁操作装置は、相対向して配置された可動鉄心及び固定鉄心と、前記可動鉄心及び固定鉄心の周囲に配置されたコイルと、前記可動鉄心の周囲に配置された永久磁石と、これらを収納するケースとから成る電磁石を少なくとも有している開閉装置であって、
前記ケースの外側に、前記永久磁石の漏れ磁束により開閉動作するリードスイッチが設置されていることを特徴とする開閉装置。
【請求項２】
請求項１に記載の開閉装置であって、
前記リードスイッチは、前記ケースに着脱自在に設置されていることを特徴とする開閉装置。
【請求項３】
請求項１又は２に記載の開閉装置であって、
前記リードスイッチは、ボビンの周囲にコイル巻線を巻き付けて構成されるリードスイッチ用投入コイルの内部に配置されていることを特徴とする開閉装置。
【請求項４】
請求項３に記載の開閉装置であって、
前記リードスイッチ用投入コイルの内部に配置されている前記リードスイッチは、非磁性部材から成るハウジングに篏合装着されてリードスイッチアセンブリを構成していることを特徴とする開閉装置。
【請求項５】
請求項４に記載の開閉装置であって、
前記リードスイッチアセンブリは、前記電磁石を支持しているフランジを筐体に固定する円柱状部材に固定されていることを特徴とする開閉装置。
【請求項６】
請求項５に記載の開閉装置であって、
前記フランジは、前記電磁石の上側、下側及び中間をそれぞれ支持する上側フランジ、下側フランジ及び中間フランジから成り、
前記リードスイッチアセンブリは、前記中間フランジと前記下側フランジとの間の前記円柱状部材に固定されていることを特徴とする開閉装置。
【請求項７】
請求項５又は６に記載の開閉装置であって、
前記ハウジングには、前記リードスイッチ用投入コイルの内部に配置されている前記リードスイッチを篏合装着する篏合部、及び前記リードスイッチアセンブリを前記円柱状部材に着脱自在に固定するスナップフィット部が形成されていることを特徴とする開閉装置。
【請求項８】
請求項７に記載の開閉装置であって、
前記スナップフィット部は、前記円柱状部材が嵌合する凹部と、該凹部の入り口付近に形成された弾性変形する突起部とから成ることを特徴とする開閉装置。
【請求項９】
請求項７又は８に記載の開閉装置であって、
前記ハウジングの前記リードスイッチを篏合装着する前記篏合部の下方にねじ部を設け、前記ねじ部に磁性部材を嵌合せしめ、前記磁性部材を回転させて前記ねじ部を介して上下方向に移動させることで、前記磁性部材と前記リードスイッチとの間の距離を調整可能にしたことを特徴とする開閉装置。
【請求項１０】
請求項４に記載の開閉装置であって、
前記リードスイッチアセンブリは、前記ケースの外周に非磁性ベルトで縛着固定されていることを特徴とする開閉装置。
【請求項１１】
請求項１０に記載の開閉装置であって、
前記リードスイッチアセンブリは、前記電磁石を支持しているフランジを筐体に固定する円柱状部材に固定されていることを特徴とする開閉装置。
【請求項１２】
相対向して配置された可動鉄心及び固定鉄心の前記可動鉄心の周囲に配置された永久磁石で投入保持される電磁石により、主回路開閉部を開閉する電磁操作装置を備えた開閉装置における前記永久磁石の投入保持力を監視する状態監視方法であって、
前記可動鉄心と前記固定鉄心及び前記永久磁石を少なくとも収納するケースの外側に設置されたリードスイッチが、前記永久磁石の漏れ磁束により開閉する動作に基づいて前記永久磁石の投入保持力を測定することで状態を監視することを特徴とする開閉装置の状態監視方法。
【請求項１３】
請求項１２に記載の開閉装置の状態監視方法であって、
前記永久磁石の漏れ磁束により開閉する動作に基づいて前記永久磁石の減磁（投入保持力の低下）を測定することを特徴とする開閉装置の状態監視方法。
【請求項１４】
請求項１３に記載の開閉装置の状態監視方法であって、
前記電磁操作装置が切状態の時に、前記リードスイッチを切り状態にし、前記電磁操作装置が入り動作後にも、前記リードスイッチは切り状態を維持し、ボビンの周囲にコイル巻線を巻き付けて構成され、その内部に前記リードスイッチが配置されているリードスイッチ用投入コイルを励磁することにより、前記リードスイッチを入り状態に遷移させて前記リードスイッチ用投入コイルの励磁を停止し、その後、前記電磁操作装置が入り状態のまま、前記永久磁石の漏れ磁束が低減したことを前記リードスイッチで検出することを特徴とする開閉装置の状態監視方法。
【請求項１５】
請求項１４に記載の開閉装置の状態監視方法であって、
前記リードスイッチで投入保持力を監視している状態で、前記リードスイッチ用投入コイルを、前記永久磁石の漏れ磁束を打ち消す方向に励磁することによって、前記リードスイッチが入り状態から切状態になるかどうかを確認することを特徴とする開閉装置の状態監視方法。
【発明の詳細な説明】
【技術分野】
【０００１】
本発明は開閉装置及びその状態監視方法に係り、特に、永久磁石の漏れ磁束を測定して永久磁石による投入保持力を監視するものに好適な開閉装置及びその状態監視方法に関するものである。
【背景技術】
【０００２】
従来の開閉装置、例えば、真空遮断器の投入保持力を監視する方法としては、真空遮断器の投入保持力によって発生する部材のひずみをひずみゲージで測定する方法や、投入指令電流波形の基準値からのずれを測定する方法があり、いずれも複雑なデータ処理が必要であった。
【０００３】
これを改善するための真空遮断器の状態監視方法として、例えば、特許文献１に記載されたものがある。この特許文献１に記載された真空遮断器の状態監視方法では、投入ラッチ用の永久磁石の主たる磁路とは別の磁路に分流する磁束の変化を、磁束変化測定手段（サーチコイル）で測定することにより、永久磁石による投入保持力の変化を検出して真空遮断器の状態を監視している。
【先行技術文献】
【特許文献】
【０００４】
【特許文献１】特許第６４００２２９号公報
【発明の概要】
【発明が解決しようとする課題】
【０００５】
上述した特許文献１に記載の真空遮断器の状態監視方法では、永久磁石から可動鉄心と固定鉄心を経由して構成される磁路の外側で、可動鉄心の変動による漏れ磁束の変化を測定することが可能な位置に磁束変化測定手段（サーチコイル）を設け、この磁束変化測定手段で測定された磁束の変化から永久磁石による投入保持力を計算している。
【０００６】
しかしながら、上記の特許文献１に記載の真空遮断器の状態監視方法では、磁束変化測定手段は後付できない（サーチコイルが組立後に設置できない）し、また、永久磁石による投入保持力を評価するためには、複雑な計算が必要である。
【０００７】
本発明は上述の点に鑑みなされたもので、その目的とするところは、漏れ磁束の測定手段を後付できることは勿論、複雑な計算をしなくても永久磁石による投入保持力を測定できる開閉装置及びその状態監視方法を提供することにある。
【課題を解決するための手段】
【０００８】
本発明の開閉装置は、上記目的を達成するために、主回路開閉部と、該主回路開閉部を開閉操作する電磁操作装置と、前記主回路開閉部と前記電磁操作装置を連結するリンク機構とを備え、前記電磁操作装置は、相対向して配置された可動鉄心及び固定鉄心と、前記可動鉄心及び固定鉄心の周囲に配置されたコイルと、前記可動鉄心の周囲に配置された永久磁石と、これらを収納するケースとから成る電磁石を少なくとも有している開閉装置であって、前記ケースの外側に、前記永久磁石の漏れ磁束により開閉動作するリードスイッチが設置されていることを特徴とする。
【０００９】
また、本発明の開閉装置の状態監視方法は、上記目的を達成するために、相対向して配置された可動鉄心及び固定鉄心の前記可動鉄心の周囲に配置された永久磁石で投入保持される電磁石により主回路開閉部を開閉する電磁操作装置を備えた開閉装置における前記永久磁石の投入保持力を監視する状態監視方法であって、前記可動鉄心と前記固定鉄心及び前記永久磁石を少なくとも収納するケースの外側に設置されたリードスイッチが、前記永久磁石の漏れ磁束により開閉する動作に基づいて前記永久磁石の投入保持力を測定することで状態を監視することを特徴とする。
【発明の効果】
【００１０】
本発明によれば、漏れ磁束の測定手段を後付できることは勿論、複雑な計算をしなくても永久磁石による投入保持力を測定できることが可能になる。
【図面の簡単な説明】
【００１１】
【図１】本発明の開閉装置の実施例１である真空遮断器を備えたスイッチギヤを示す縦断面図である。
【図２】本発明の開閉装置の実施例１である真空遮断器を示す縦断面図である。
【図３】本発明の開閉装置の実施例１である真空遮断器の内部を示す斜視図である。
【図４】本発明の開閉装置の実施例１である真空遮断器におけるリードスイッチアセンブリの取り付け構造の詳細を示す断面図である。
【図５】本発明の開閉装置の実施例１である真空遮断器に採用されるリードスイッチアセンブリの構造を示す分解斜視図である。
【図６】図５に示したリードスイッチアセンブリのスナップフィット部の断面図である。
【図７】本発明の開閉装置の実施例１である真空遮断器における電磁石の遮断状態を示す縦断面図である。
【図８】本発明の開閉装置の実施例１である真空遮断器における電磁石の投入状態を示す縦断面図である。
【図９】本発明の開閉装置の実施例１である真空遮断器の動作シーケンスを示す図である。
【図１０】本発明の開閉装置の実施例２である真空遮断器における電磁石の正面図である。
【図１１】本発明の開閉装置の実施例３である真空遮断器に採用されるリードスイッチアセンブリを示す分解斜視図である。
【発明を実施するための形態】
【００１２】
以下、図示した実施例に基づいて本発明の開閉装置及びその状態監視方法を説明する。なお、各図において、同一構成部品には同符号を使用する。
【実施例１】
【００１３】
図１に、本発明の開閉装置の実施例１である真空遮断器を備えたスイッチギヤを示す。
【００１４】
該図に示すように、スイッチギヤ１５０は、遮断器室１５４と、遮断器室１５４の上方に配置された計測器室１５２と、遮断器室１５４及び計測器室１５２の背面側に配置された母線室１５３及びケーブル室１５５に区画され、遮断器室１５４内には真空遮断器１５６、計測器室１５２内には真空遮断器１５６の主接点の開閉を制御する制御部２２０、真空遮断器１５６の状態における異常の有無や異常の種類を判定する蓄積・比較部２２１、蓄積・比較部２２１によって真空遮断器１５６の状態が異常であると判定されると、真空遮断器１５６が異常状態であることを、ランプ点灯（若しくは消灯）、画像、音声などによって表示する異常状態表示部２２２、母線室１５３には真空遮断器１５６における真空バルブ９の固定接点７に電気的に接続された母線１６２、真空遮断器１５６における真空バルブ９の可動接点８に電気的に接続された配電用ケーブル１６１がそれぞれ設置されて構成されている。
【００１５】
そして、スイッチギヤ１５０の筐体前面（図１中、右側）には扉が設けられ、扉を開けると、真空遮断器１５６の前面に設けられて、スイッチ類などを備える操作パネルが露出し、保守点検時には、扉を開けて、真空遮断器１５６を引き出すことができるようになっている。
【００１６】
図２は、上述したスイッチギヤを構成する真空遮断器１５６の詳細構成を示す。
【００１７】
該図に示すように、本実施例の真空遮断器１５６は、内部に主回路開閉部（固定接点７及び可動接点８）を有する真空バルブ９と、この真空バルブ９の主回路開閉部（固定接点７及び可動接点８）を開閉操作する電磁操作装置１と、電磁操作装置１と真空バルブ９を連結するリンク機構２とから概略構成されている。
【００１８】
電磁操作装置１は、可動鉄心３０２と固定鉄心３０６が相対向して配置され、鉛直方向に昇降する可動鉄心３０２に連結された電磁操作装置側ロッド３及び可動平板３１７、電磁石コイル１７、永久磁石３０４がケース３０５に収納されて成る電磁石１４から主に構成され、ピン１９、連結部品２１、リンク機構２を介して第１のレバー２２に接続されている。これらは、筐体１０内に配置されている。
【００１９】
また、電磁石コイル１７に励磁電流が供給されると可動鉄心３０２が下降し、可動鉄心３０２に連結された電磁操作装置側ロッド３が下降するとき、第２のレバー２３が回転することで連結部品２４及び真空バルブ側ロッド１１４が上昇し、真空バルブ９内に設けられた固定接点７と可動接点８が接触する。
【００２０】
真空遮断器１５６の投入動作では、ワイプばね５９及び遮断ばね６０が圧縮され、弾性エネルギーが蓄積され、この弾性エネルギーにより遮断動作が行われる。真空バルブ９の開閉部が投入状態にあるとき、永久磁石３０４の吸引力により可動鉄心３０２及び可動平板３１７が保持される。
【００２１】
電磁操作式の真空遮断器１５６の遮断動作では、電磁石コイル１７に投入動作とは逆向きの電流を流すことで、永久磁石３０４の吸引力を打ち消す方向に磁束が発生し、ワイプばね５９及び遮断ばね６０に蓄勢された弾性エネルギーが解放されることで、電磁操作装置側ロッド３が上昇し、真空バルブ９内に設けられた固定接点７と可動接点８が開離する。
【００２２】
電磁操作装置側ロッド３が上昇するとシャフト２５が上方に移動し、シャフト２５の移動に合わせて第３のレバー（図示せず）が回転する。第３のレバーと補助スイッチ２０は連動しており、補助スイッチ２０は、真空バルブ９の開閉部の状態検出と電磁石コイル１７に流れる電流の制御を兼ねている。入り動作においては、第４のレバー（図示せず）がピンを中心に反時計周りに回転し、表示板（図示せず）の「入」の文字が正面側から見える位置に移動する。
【００２３】
また、上述した補助スイッチ２０は、補助スイッチ２０における信号接点である常時開接点及び常時閉接点の動作タイミングと、制御部２２０（図１参照）が作成する投入指令及び遮断指令（開極指令）のタイミングとの時間差に基づいて、真空遮断器１５６の投入動作時間及び遮断動作時間が計測される。計測される投入動作時間及び遮断動作時間の時間的変化に基づいて、真空バルブ９内の固定接点７と可動接点８の消耗、真空バルブ９の真空漏れ、可動接点８の駆動機構部における摩擦増など、真空遮断器１５６の状態が判定される。
【００２４】
このように構成される本実施例の真空遮断器１５６では、電磁石１４の近傍、具体的には、ケース３０５の外側（外周側）に、永久磁石３０４と電磁石コイル１７の軸方向に跨ってリードスイッチアセンブリ３０１を配置し、後で詳述するが、このリードスイッチアセンブリ３０１を構成するリードスイッチ３１０で、電磁石１４に内蔵される永久磁石３０４の漏れ磁束を測定すること、即ち、永久磁石３０４の漏れ磁束によりリードスイッチ３１０が開閉（オン、オフ）動作することにより、永久磁石３０４の減磁、つまり、投入保持力の低下を判定するようにしている。
【００２５】
次に、図３、図４、図５及び図６を用いて、上述したリードスイッチアセンブリ３０１の配置及び構造と取り付け構造について説明する。
【００２６】
図３は、リードスイッチアセンブリ３０１が配置された状態の真空遮断器１５６の内部を、図４は、リードスイッチアセンブリ３０１の取り付け構造の詳細を、図５はリードスイッチアセンブリ３０１の詳細構造を、図６はリードスイッチアセンブリ３０１のスナップフィット部３１５の断面をそれぞれ示す。
【００２７】
まず、図５及び図６を用いてリードスイッチアセンブリ３０１の構造について説明する。
【００２８】
図５に示すように、リードスイッチアセンブリ３０１は、上述したリードスイッチ３１０が、ボビン３１２の周囲にコイル巻線３１１を巻き付けて構成されるリードスイッチ用投入コイル３１３の内部に配置され、このリードスイッチ用投入コイル３１３の内部に配置されているリードスイッチ３１０が、非磁性部材から成るハウジング３１４に篏合装着されて構成されている。
【００２９】
上記のハウジング３１４には、リードスイッチ用投入コイル３１３の内部に配置されているリードスイッチ３１０を篏合装着する篏合部３１４ａと、リードスイッチアセンブリ３０１、即ち、ハウジング３１４を円柱状部材であるボルト３００（図２及び図４参照）に着脱自在に固定するスナップフィット部３１５が形成されている。
【００３０】
図５及び図６に示すように、上記のスナップフィット部３１５には、ボルト３００が嵌合する凹部３１５ａと、この凹部３１５ａの入り口付近に形成されて弾性変形し、ボルト３００を着脱自在に固定する突起部３１５ｂとが形成されており、ボルト３００を凹部３１５ａに篏合させることにより、ハウジング３１４、即ち、リードスイッチアセンブリ３０１（リードスイッチ３１０）が、スナップフィット部３１５の突起部３１５ｂを介してフランジに着脱自在に固定されるので、後付け作業が容易に行える。
【００３１】
なお、本実施例のハウジング３１４は、コイル巻線３１１を内部に包含させながら注型や３次元プリンタなどで造形することができる。これにより、部品点数が減少するという効果がある。
【００３２】
次に、図３を用いてリードスイッチアセンブリ３０１の配置について説明する。
【００３３】
図３に示すように、リードスイッチアセンブリ３０１は、ケース３０５（電磁石１４）を支持している３枚の四角形のフランジの四角を筐体１０に固定する４本のボルト３００（図３では２本のボルト３００を図示）の１本に固定され、その３枚の四角形のフランジは、ケース３０５（電磁石１４）の上側、下側及び中間をそれぞれ支持する上側フランジ３０８ａ、下側フランジ３０８ｃ及び中間フランジ３０８ｂから構成され、図５に示したリードスイッチアセンブリ３０１は、中間フランジ３０８ｂと下側フランジ３０８ｃとの間のボルト３００に固定されている。
【００３４】
このように構成される本実施例の真空遮断器１５６における電磁石１４の遮断及び投入動作について、図７及び図８を用いて説明する。
【００３５】
図７は、真空遮断器１５６における電磁石１４の遮断状態を示し、図８は、真空遮断器１５６における電磁石１４の投入状態を示す。
【００３６】
図７に示すように、主接点（固定接点７及び可動接点８）が遮断状態では、永久磁石３０４、可動平板３１７、可動鉄心３０２、固定鉄心３０６、下部フランジ３０８ｃ、ケース３０５の経路で磁路３０３が形成されないため、ケース３０５の外側の空間Ｇ（ケース３０５とリードスイッチアセンブリ３０１の間の空間Ｇ：図２参照）における永久磁石３０４からの漏れ磁束は小さい。
【００３７】
一方、図８に示すように、主接点（固定接点７及び可動接点８）が投入状態では、永久磁石３０４、可動平板３１７、可動鉄心３０２、固定鉄心３０６、下側フランジ３０８ｃ、ケース３０５の経路で永久磁石３０４からの漏れ磁束の磁路が形成されるため、ケース３０５の外側の空間Ｇにおける漏れ磁束が大きい。
【００３８】
本実施例では、この永久磁石３０４からの漏れ磁束の変化を、リードスイッチ３１０で検出するようにしている。
【００３９】
図９に、本実施例の真空遮断器１５６における状態監視方法を説明するための動作シーケンスを示し、縦軸に漏れ磁束レベル、横軸に時間を表している。なお、図中４２０はリードスイッチ３１０の入り状態、４２１はリードスイッチ３１０の切状態を示す。
【００４０】
まず、電磁石切状態４０１では、図７に示すように、永久磁石３０４を囲む磁路が形成されていないため、漏れ磁束はレベルＡにあり、リードスイッチ３１０は切り状態にある。
【００４１】
この状態で、電磁石入り動作４０２が発生すると、図８に示すように、永久磁石３０４を囲む磁路が形成されるため、漏れ磁束はレベルＢに上昇する。しかし、漏れ磁束レベルＢは、リードスイッチ３１０が切り状態から入り状態に遷移する磁束レベルＣ’を下回っているため、リードスイッチ３１０は切り状態のままである。この状態で、補助スイッチ２０のＡ接点は閉じている。
【００４２】
次に、リードスイッチ用投入コイル３１３を励磁（符号４０３）すると、漏れ磁束はレベルＣに上昇し、リードスイッチ３１０が切り状態から入り状態に遷移する磁束レベルＣ’を上回るため、リードスイッチ３１０は切り状態から入り状態に遷移する。
【００４３】
次に、リードスイッチ用投入コイル３１３の励磁を切る（符号４０４）と、漏れ磁束はレベルＢに低下するが、リードスイッチ３１０のヒステリシスにより、リードスイッチ３１０は入り状態を保つ。この状態ではリードスイッチ用投入コイル３１３の励磁は切れているため、センサー用の電源は不要であるという効果がある。
【００４４】
この状態で、電磁石１４を構成する永久磁石３０４の磁力が何らかの原因で減少（符号４０５）すると、漏れ磁束はレベルＢから低下して行き、レベルＢ’に達するとリードスイッチ３１０が入り状態から切状態に遷移する。
【００４５】
このとき、リードスイッチ３１０の接点は、閉状態から開状態に変化（或いは、常時開のリードスイッチ３１０では開状態から閉状態に変化）するため、その情報を図１の蓄積・比較部２２１に伝送し、別途伝送する補助スイッチ２０のＡ接点が閉じている状態とＡＮＤが取れれば、異常状態表示部２２２で、永久磁石３０４の保持力が低下した異常状態が発生したことを表示する。
【００４６】
その状態から、更に永久磁石３０４の磁力が減少（符号４０５）し続けると、永久磁石３０４による投入保持力が遮断ばね６０の開離力を下回り、電磁石１４は切動作（符号４０６）を行い、真空遮断器１５６が予定外に遮断されてしまう（遮断指令が出ていないのに真空遮断器１５６が遮断すること）。遮断された後の漏れ磁束は、永久磁石３０４の減磁分だけ減少してレベルＡ’に下がる。
【００４７】
しかし、上述のように、リードスイッチ３１０により漏れ磁束がレベルＢ’を下回ったことを検出し、異常状態表示部２２２で異常状態を表示すれば、真空遮断器１５６を交換するなどして、予定外の遮断動作を回避することができる。従って、簡単な構成で、永久磁石３０４による保持力の低下を検出することができる。
【００４８】
なお、永久磁石３０４の磁力が減少（符号４０５）しない状態で、電磁石１４が切動作すると、漏れ磁束はレベルＡに減少するが、この時に、リードスイッチ３１０が入り状態から切状態に遷移する磁束レベルＢ’を下回るため、リードスイッチ３１０は入り状態から切状態に遷移する。これを持って、リードスイッチ３１０の動作健全性を確認できる。
【００４９】
また、リードスイッチ３１０は、入り状態と切り状態の２値の状態を出力するため、デジタル信号処理が可能になり、情報処理部の構造が簡単になるという効果もある。
【００５０】
更に、リードスイッチ３１０で投入保持力を監視している状態で、リードスイッチ用投入コイル３１３を、漏れ磁束を打ち消す方向に励磁することによって、リードスイッチ３１０が入り状態から切状態になるかどうかを確認することができる。
【００５１】
これによれば、投入状態を保ちながらリードスイッチ３１０の動作健全性を確認することが可能になるという効果がある。
【００５２】
また、リードスイッチ３１０の動作健全性を確認したあとは、リードスイッチ用投入コイル３１３を、漏れ磁束を強める方向に励磁することによって、リードスイッチ３１０を切り状態から入り状態に遷移させ、更に、リードスイッチ用投入コイル３１３の励磁を停止することにより、引き続き、投入保持力の監視を継続できるという効果がある。
【００５３】
以上説明した本実施例によれば、漏れ磁束の測定手段であるリードスイッチアセンブリ３０１を後付できることは勿論、複雑な計算をしなくても永久磁石３０４による投入保持力を測定することが可能になる。
【実施例２】
【００５４】
図１０に、本発明の開閉装置である真空遮断器１５６の実施例２における電磁石１４を示す。
【００５５】
該図に示す本実施例では、図５に示したリードスイッチ３１０が篏合装着されているハウジング３１４を、非磁性ベルト３１６でケース３０５に巻きつけることによって固定している。
【００５６】
なお、本実施例では、ハウジング３１４を、非磁性ベルト３１６及びスナップフィット部３１５の凹部３１５ａにボルト３００を篏合することにより固定しているが、ハウジング３１４を非磁性ベルト３１６だけで固定しても構わない。
【００５７】
このような本実施例によれば、実施例１と同様な効果が得られることは勿論、ハウジング３１４の固定の信頼性が向上するという効果がある。
【実施例３】
【００５８】
図１１に、本発明の開閉装置の実施例３である真空遮断器１５６に採用されるリードスイッチアセンブリ３０１を示す。
【００５９】
該図に示す本実施例のリードスイッチアセンブリ３０１は、図５に示したリードスイッチアセンブリ３０１を改良したものであり、図５に示した構造に加え、ハウジング３１４のリードスイッチ３１０を篏合装着する篏合部３１４ａの下方にねじ部３１４ｂを設け、このねじ部３１４ｂに磁性部材（例えば、鉄製ボルト等）４３０を嵌合せしめ、磁性部材４３０を回転させてねじ部３１４ｂを介して上下方向に移動させることで、磁性部材４３０とリードスイッチ３１０との間の距離を調整可能にしたものである。
【００６０】
このような本実施例によれば、実施例１と同様な効果が得られることは勿論、磁性部材４３０とリードスイッチ３１０との間の距離を調整することにより、リードスイッチ３１０近傍の漏れ磁束を変化させることができるので、種々な構造の電磁石１４に対して同じ構造のリードスイッチアッセンブリ３０１を適用することが可能になるという効果がある。
【００６１】
なお、本発明は上述した実施例に限定されるものではなく、様々な変形例が含まれる。例えば、上述した実施例は本発明を分かりやすく説明するために詳細に説明したものであり、必ずしも説明したすべての構成を備えるものに限定されるものではない。また、ある実施例の構成の一部を他の実施例の構成に置き換える事が可能であり、また、ある実施例の構成に他の実施例の構成を加える事も可能である。また、各実施例の構成の一部について、他の構成の追加・削除・置換をする事が可能である。
【符号の説明】
【００６２】
１…電磁操作装置、２…リンク機構、３…電磁操作装置側ロッド、７…固定接点、８…可動接点、９…真空バルブ、１０…筐体、１４…電磁石、１７…電磁石コイル、１９…ピン、２０…補助スイッチ、２１、２４…連結部品、２２…第１のレバー、２３…第２のレバー、２５…シャフト、５９…ワイプばね、６０…遮断ばね、１１４…真空バルブ側ロッド、１５０…スイッチギヤ、１５２…計測器室、１５３…母線室、１５４…遮断器室、１５５…ケーブル室、１５６…真空遮断器、１６１…配電用ケーブル、１６２…母線、２２０…制御部、２２１…蓄積・比較部、２２２…異常状態表示部、３００…ボルト、３０１…リードスイッチアセンブリ、３０２…可動鉄心、３０３…磁路、３０４…永久磁石、３０５…ケース、３０６…固定鉄心、３０８ａ…上側フランジ、３０８ｂ…中間フランジ、３０８ｃ…下側フランジ、３１０…リードスイッチ、３１１…コイル巻線、３１２…ボビン、３１３…リードスイッチ用投入コイル、３１４…ハウジング、３１４ａ…ハウジングの篏合部、３１４ｂ…ハウジングのねじ部、３１５…スナップフィット部、３１５ａ…スナップフィット部の凹部、３１５ｂ…スナップフィット部の突起部、３１６…非磁性ベルト、３１７…可動平板、４０１…電磁石切状態、４０２…電磁石入り動作、４０３…リードスイッチ投入コイルの励磁入、４０４…リードスイッチ投入コイルの励磁切、４０５…永久磁石の減磁、４０６…電磁石の切動作、４２０…リードスイッチの入り状態、４２１…リードスイッチの切状態、４３０…磁性部材。
【図１】
2020173897.tif 000003
【図２】
2020173897.tif 000004
【図３】
2020173897.tif 000005
【図４】
2020173897.tif 000006
【図５】
2020173897.tif 000007
【図６】
2020173897.tif 000008
【図７】
2020173897.tif 000009
【図８】
2020173897.tif 000010
【図９】
2020173897.tif 000011
【図１０】
2020173897.tif 000012
【図１１】
2020173897.tif 000013